(57)【要約】      （修正有）【課題】ディスプレーのベースを支持し、当該ベースは音響機能を持っているとともに、設置空間を省くことができるディスプレー用音響ベース装置を提供する。【解決手段】ディスプレー用音響ベース装置は、内部には少なくとも一つの回路基板を有するベース１を備え、当該ベース１では周囲に延伸し少なくとも１つのスピーカーを有する少なくとも一対のスピーカーボックス構成１１が形成されており、当該ベース１には上方に延伸し容置空間を有する支持柱体２が設けられており、当該支持柱体２はディスプレー３に接続することができ、当該ディスプレー３に接続された外部接続線は当該支持柱体２の容置空間を通過して当該ベース１の回路基板に接続する。【選択図】図１Ａ
2012205299.tif 000002
【特許請求の範囲】
【請求項１】
ディスプレー用音響ベース装置であって、
内部には少なくとも一つの回路基板を有し、周囲に延伸し少なくとも１セットのスピーカーボックス構成が形成されたベースと、
当該ベースから上方に延伸し形成され、容置空間を有する支持柱体と、を備えており、
前記支持柱体はディスプレーに接続することができ、前記ディスプレーに接続された外部接続線は、前記支持柱体の容置空間を通過して前記ベースの回路基板に接続することができるので、前記ディスプレーは当該ベースのスピーカーボックス構成により発声することができることを特徴とするディスプレー用音響ベース装置。
【請求項２】
前記スピーカーボックス構成のうちには、少なくとも１つのスピーカーを有することを特徴とする請求項１に記載のディスプレー用音響ベース装置。
【請求項３】
前記ディスプレーは、ＬＥＤ液晶テレビであることを特徴とする請求項１に記載のディスプレー用音響ベース装置。
【請求項４】
前記ディスプレーは、ＬＣＤテレビであることを特徴とする請求項１に記載のディスプレー用音響ベース装置。
【請求項５】
前記ディスプレーは、コンピュータースクリーンであることを特徴とする請求項１に記載のディスプレー用音響ベース装置。
【請求項６】
前記音響ベース装置のベースには、一つの光ディスクドライブが添付されることを特徴とする請求項１に記載のディスプレー用音響ベース装置。
【請求項７】
前記音響ベース装置のベースには、少なくとも一つのコンネクションインターフェースが添付されることを特徴とする請求項１に記載のディスプレー用音響ベース装置。
【請求項８】
前記コンネクションインターフェースは、ＵＳＢコンネクションポートであることを特徴とする請求項７に記載のディスプレー用音響ベース装置。
【請求項９】
前記コンネクションインターフェースは、メモリカードの挿入口であることを特徴とする請求項７に記載のディスプレー用音響ベース装置。
【請求項１０】
前記コンネクションインターフェースは、電子装置のアダブターであることを特徴とする請求項７に記載のディスプレー用音響ベース装置。
【請求項１１】
ディスプレー用音響ベース装置であって、
内部には少なくとも一つの回路基板を有し、周囲に延伸し２セットのスピーカーボックス構成が形成されたベースと、
当該ベースから上方に延伸し形成され、容置空間を有する支持柱体と、を備えており、
前記支持柱体はディスプレーに接続することができ、前記ディスプレーに接続された外部接続線は、前記支持柱体の容置空間を通過して前記ベースの回路基板に接続することができるので、前記ディスプレーは当該ベースのスピーカーボックス構成により発声することができることを特徴とするディスプレー用音響ベース装置。
【請求項１２】
前記スピーカーボックス構成のうちに、少なくとも１つのスピーカーを有することを特徴とする請求項１１に記載のディスプレー用音響ベース装置。
【請求項１３】
前記ディスプレーは、ＬＥＤ液晶テレビであることを特徴とする請求項１１に記載のディスプレー用音響ベース装置。
【請求項１４】
前記ディスプレーは、ＬＣＤテレビであることを特徴とする請求項１１に記載のディスプレー用音響ベース装置。
【請求項１５】
前記ディスプレーは、コンピュータースクリーンであることを特徴とする請求項１１に記載のディスプレー用音響ベース装置。
【請求項１６】
前記２セットのスピーカーボックス構成のうちに、１セットのスピーカーボックス構成は、重低音のスピーカーボックス構成であることを特徴とする請求項１１に記載のディスプレー用音響ベース装置。
【請求項１７】
前記２セットのスピーカーボックス構成は、２.０チャンネル構成に組み合わせられることを特徴とする請求項１１に記載のディスプレー用音響ベース装置。
【請求項１８】
前記２セットのスピーカーボックス構成は、２.１チャンネル構成に組み合わせられることを特徴とする請求項１１に記載のディスプレー用音響ベース装置。
【請求項１９】
前記音響ベース装置には、一つの無線受信装置が添付されることを特徴とする請求項１１に記載のディスプレー用音響ベース装置。
【請求項２０】
無線受信装置を介して無線ラッパが添付されるとともに、前記２セットのスピーカーボックス構成と組み合わせて５.１チャンネル構成になることを特徴とする請求項１９に記載のディスプレー用音響ベース装置。
【請求項２１】
前記ベースには、一つの光ディスクドライブが添付されることを特徴とする請求項１１に記載のディスプレー用音響ベース装置。
【請求項２２】
前記ベースには、少なくとも一つのコンネクションインターフェースが添付されることを特徴とする請求項１１に記載のディスプレー用音響ベース装置。
【請求項２３】
前記コンネクションインターフェースは、ＵＳＢコンネクションポートであることを特徴とする請求項２２に記載のディスプレー用音響ベース装置。
【請求項２４】
前記コンネクションインターフェースは、メモリカードの挿入口であることを特徴とする請求項２２に記載のディスプレー用音響ベース装置。
【請求項２５】
前記コンネクションインターフェースは、電子装置のアダブターであることを特徴とする請求項２２に記載のディスプレー用音響ベース装置。
【発明の詳細な説明】
【技術分野】
【０００１】
本発明は、ディスプレー用音響ベース装置に関する。特に、ディスプレーを支持するベースであって、当該ベースは音響機能を持ち、当該ベースを介して外部装置に接続することにより多機能媒体プレー装置とするものに関する。
【背景技術】
【０００２】
スピーカーボックス構成のデザインは、ラッパの全体の効率、音色を重んじることに膨大な影響を与える。そして、用途の影響を受けているため、構成のデザインにも極めて異なっている。目下、汎用されているディスプレーを例として、ディスプレーでは、スピーカーボックスとして、左右両側のハウジング内にそれぞれ簡単な空間が形成されているとともに、その中にはスピーカーが設置されている。しかし、このようなラッパ構成では、何度言っても簡単すぎる(何度言っても重低音などの好ましい音声効果を有しない)ので、発声効果は極めて普通である。それに加えて、目下、薄型ディスプレーは益々普及されているので、ディスプレー内部のスピーカーボックス空間は締め付けられ、これにより、発声効果も制限されてしまう。
このため、若干の使用者はいっそうオン音声効果の表現を得るために、自分で外的なスピーカーボックスを購入し、それをディスプレーの両側に直立させざるを得ないので、充分大きな容置空間の使用をしなければならない。さもなければ、ディスプレーをスピーカーボックスとともに設置することができない。また、好ましい音響効果を図るために、ラッパの位置を自分で調整しなければならない。このため。もっと好ましい音響効果を図るために、余分の費用がかかない限り、所定の音響表現能力を図ることができない。しかしながら、このような処理は、多くの使用者に対しかなりの困難性があるので、一般にラッパ構成が内蔵されたディスプレーの普通な音響表現能力を受けなければならない。
このことから、従来のラッパ内蔵式構成の欠点に取って代わって、ディスプレーのベースを支持し、当該ベースは音響機能を持っているとともに、設置空間を省くことができるディスプレー用音響ベース装置を提供することは、もっと好ましい解決策はずである。
【発明の概要】
【発明が解決しようとする課題】
【０００３】
本発明は、従来のラッパ内蔵式構成の欠点に取って代わって、ディスプレーのベースを支持し、当該ベースは音響機能を持っているとともに、設置空間を省くことができるディスプレー用音響ベース装置を提供することを目的とする。
本発明のもう１つの目的は、もっとも便利な構成で、重低音などの好ましい音声効果の表現能力を奏するディスプレー用音響ベース装置を提供する。
上記発明の目的が達成できるディスプレー用音響ベース装置は、内部には少なくとも一つの回路基板を有するベースを備え、当該ベースでは周囲に延伸し少なくとも１つのスピーカーを有する少なくとも一対のスピーカーボックス構成が形成されており、当該ベースには上方に延伸し容置空間を有する支持柱体が設けられており、当該支持柱体はディスプレーに接続することができ、当該ディスプレーに接続された外部接続線は当該支持柱体の容置空間を通過して当該ベースの回路基板に接続することができるので、従来当該ディスプレーに設けられた発声構成に取って代わって、当該ディスプレーは当該ベースのスピーカーボックス構成により発声し、音声表現の向上が得られる。
もっと具体的に言えば、前記ディスプレーはＬＥＤ液晶テレビである。
もっと具体的に言えば、前記ディスプレーはＬＣＤテレビである。
もっと具体的に言えば、前記ディスプレーはコンピュータースクリーンである。
もっと具体的に言えば、前記音響ベース装置のベースには一つの光ディスクドライブが添付される。
もっと具体的に言えば、前記音響ベース装置のベースには少なくとも１つのコンネクションインターフェースが添付される。
もっと具体的に言えば、前記コンネクションインターフェースはＵＳＢコンネクションポートである。
もっと具体的に言えば、前記コンネクションインターフェースはメモリカードの挿入口である。
もっと具体的に言えば、前記コンネクションインターフェースは電子装置のアダブターである。
もっと具体的に言えば、前記少なくとも一対のスピーカーボックス構成は一対以上のスピーカーボックス構成を有すれば、そのうちの一対は重低音のスピーカーボックス構成である。
もっと具体的に言えば、前記少なくとも一対のスピーカーボックス構成は２.０チャンネル構成に組み合わせられる。
もっと具体的に言えば、前記少なくとも一対のスピーカーボックス構成は２.１チャンネル構成に組み合わせられる。
もっと具体的に言えば、前記音響ベース装置には一つの無線受信装置が添付される。
もっと具体的に言えば、前記音響ベース装置には一つの無線ラッパが添付されるとともに、一対以上のスピーカーボックス構成と組み合わせて５.１チャンネル構成になることができる。
【発明の効果】
【０００４】
本発明が提供するディスプレー用音響ベース装置は、従来の技術と比べると次のメリットを有している。
1．本発明はディスプレーを支持するためのベースを有し、当該ベースは音響機能を備えたことにより、従来のラッパ内蔵式構成の欠点に取って代わることができるとともに、スピーカーの設置空間を省くことができるので、本発明はもっとも便利な構成で、重低音などの好ましい音声効果の表現能力を奏する。
2．本発明はベースのうちに重低音のスピーカーボックスを設けることができるので、もっと好ましい音声効果の表現能力を奏するだけでなく、当該重低音のスピーカーボックスを適当なところに位置させることができる。従って、使用者がスピーカーボックスの方向調整と位置調整を繰り返す必要はない。
3．本発明のスピーカーボックス構成の位置は、当該ベース及びディスプレーの位置に合わせたので、視覚的な一致性を有している。
上記具体的な実施例による詳しい記述は、本発明の趣旨と特徴をいっそう明らかに述べることが好ましい。勿論、本発明は上記具体的な実施例にのみ限定しない。一方、本発明は前、後記の趣旨に適合し得る範囲で適当に変更を加えて実施することも可能であり、それらはいずれも本発明の技術的範囲に含まれるものである。
【図面の簡単な説明】
【０００５】
【図１Ａ】図１Ａは、本発明がディスプレーの音響ベース装置に適用された第１の実施例の正面斜視図である。
【図１Ｂ】図１Ｂは、本発明がディスプレーの音響ベース装置に適用された第１の実施例の背面斜視図である。
【図２Ａ】図２Ａは、本発明がディスプレーの音響ベース装置に適用された第１の実施例の正面図である。
【図２Ｂ】図２Ｂは、本発明がディスプレーの音響ベース装置に適用された第１の実施例の背面図である。
【図３Ａ】図３Ａは、本発明がディスプレーの音響ベース装置に適用された第１の実施例の右側面図である。
【図３Ｂ】図３Ｂは、本発明がディスプレーの音響ベース装置に適用された第１の実施例の左側面図である。
【図４】図４は、本発明がディスプレーの音響ベース装置に適用された第１の実施例の平面図である。
【図５】図５は、本発明がディスプレーの音響ベース装置に適用された第２の実施例の正面斜視図である。
【図６】図６は、本発明がディスプレーの音響ベース装置に適用された第２の実施例の右側面図である。
【図７】図７は、本発明がディスプレーの音響ベース装置に適用された第２の実施例の平面図である。
【発明を実施するための形態】
【０００６】
本発明の前記及び他の技術内容、特徴、及び効果についは、以下図面を参照しながら好ましい実施例を詳しく説明したうえ、明らかに表現することができる。
図１Ａ、図１Ｂ、図２Ａ、図２Ｂ、図３Ａ、図３Ｂ、及び図４は、本発明がディスプレーの音響ベース装置に適用された第１の実施例の正面斜視図、第１の実施例の背面斜視図、第１の実施例の正面図、第１の実施例の背面図、第１の実施例の右側面図、第１の実施例の左側面図、及び第１の実施例の平面図である。図面から分かるように、当該ディスプレー用音響ベース装置は、
内部には少なくとも一つの回路基板を有し、かつ、前面及び背面へ延伸して少なくとも１つのスピーカーを有する２セットのスピーカーボックス構成１１，１２(本好ましい実施例では少なくとも１セット以上のスピーカーボックス構成が形成されている)が形成されたベース１と、
前記ベース１から上方へ延伸して形成された支持柱体２と、を備え、
前記支持柱体２はディスプレー３と接続可能なものであり、前記ディスプレー３に接続されている外部接続線３１は前記支持柱体２の容置空間２１を通過して前記ベース１の回路基板に接続することができるので、前記ディスプレー３は前記ベース１の前後２セットのスピーカーボックス構成により発声することができる。
また、前記支持柱体２の容置空間２１は、前記ディスプレー３と前記ベース１と接続する外部接続線３１を収納するものので、外部接続線３１が外部へ露出することを避けることができ、美観の目的を奏する。
また、前記スピーカーボックス構成１１の内には、少なくとも１つのスピーカーを有する。
また、前記スピーカーボックス構成１２の内には、少なくとも１つのスピーカーを有する。
また、前記ディスプレー３はＬＥＤ液晶テレビである。
また、前記ディスプレー３はＬＣＤテレビである。
また、前記ディスプレー３はコンピュータースクリーンである。
また、前記音響ベース装置のベース１には一つの光ディスクドライブ１３(ＤＶＤ  player)が添付される。
また、前記音響ベース装置のベース１には少なくとも１つのコンネクションインターフェース１４が添付される。前記音響ベース装置にビデオ信号及びオーディオ信号を受信することができるとともに、前記ディスプレー３に接続されている外部接続線３１により、前記ディスプレー３に前記オーディオ信号を表示させるとともに、前記音響ベース装置のスピーカーボックス構成１１，１２に前記オーディオ信号に基づき発声させる。
また、前記コンネクションインターフェース１４はＵＳＢコンネクシションポートである。
また、前記コンネクションインターフェース１４はメモリカードの挿入口である。
また、前記コンネクションインターフェース１５は電子装置のアダブターである。
また、前記スピーカーボックス構成１１，１２は仰角に形成されるので、鑑賞者に対し音声の受信を満たすことができる。
また、前記２セットのスピーカーボックス構成１１，１２のうちに、前記スピーカーボックス構成１２は重低音のスピーカーボックス構成である。
また、前記２セットのスピーカーボックス構成１１，１２は、左フロントスピーカー及び右フロントスピーカーに形成されるので、２．０チャンネル構成に組み合わせることができる。
また、前記２セットのスピーカーボックス構成１１，１２は、左フロントスピーカーと、右フロントスピーカーと、センタサブウーファに形成されるので、２．１チャンネル構成に組み合わせることができる。
また、前記音響ベース装置には、無線受信及びプレーのために、一つの無線受信装置(Wireless  Dongle)が添付されることができる。そして、前記音響ベース装置には、一つの無線ラッパ(Wireless  Rear Speaker)が添付されることができるとともに、前記２セットのスピーカーボックス構成１１，１２とあわせて、左フロントスピーカーと、右フロントスピーカーと、センタサブウーファと、二つのリアサラウンド無線スピーカーとに形成されるので、５．１チャンネル構成に組み合わせることができる。
また、もう1つの実施形態に基づき、前記ベース１は、前記ベース１から周囲に延伸して少なくとも1つのスピーカーを有する少なくとも１セットのスピーカーボックス構成に形成されることができる。
図５、図６及び図７は、それぞれ本発明はディスプレーの音響ベース装置に適用された第２の実施例の正面斜視図、第２の実施例の右側面図、第２の実施例の平面図である。図面から分かるように、第１の実施形態との差異は、第２の実施形態のベースにコンネクションインターフェース１５(ipod  Dock)が添付されたことにある。これにより、電子装置が当該コンネクションインターフェースに挿入されることができ、当該電子装置に格納されているビデオ信号及びオーディオ信号の受信及びプレーをすることができる。
【０００７】
本発明が提供するディスプレー用音響ベース装置は、従来の技術と比べると次のメリットを有している。
1．本発明はディスプレーを支持するためのベースを有し、当該ベースは音響機能を備えたことにより、従来のラッパ内蔵式構成の欠点に取って代わることができるとともに、スピーカーの設置空間を省くことができるので、本発明はもっとも便利な構成で、重低音などの好ましい音声効果の表現能力を奏する。
2．本発明はベースのうちに重低音のスピーカーボックスを設けることができるので、もっと好ましい音声効果の表現能力を奏するだけでなく、当該重低音のスピーカーボックスを適当なところに位置させることができる。従って、使用者がスピーカーボックスの方向調整と位置調整を繰り返す必要はない。
3．本発明のスピーカーボックス構成の位置は、当該ベース及びディスプレーの位置に合わせたので、視覚的な一致性を有している。
上記具体的な実施例による詳しい記述は、本発明の趣旨と特徴をいっそう明らかに述べることが好ましい。勿論、本発明は上記具体的な実施例にのみ限定しない。一方、本発明は前、後記の趣旨に適合し得る範囲で適当に変更を加えて実施することも可能であり、それらはいずれも本発明の技術的範囲に含まれるものである。
【符号の説明】
【０００８】
１・・・・・・ベース
１１・・・・・スピーカーボックス構成
１２・・・・・スピーカーボックス構成
１３・・・・・光ディスクドライブ
１４・・・・・コンネクションインターフェース
１５・・・・・コンネクションインターフェース
２・・・・・・支持柱体
２１・・・・・容置空間
３・・・・・・ディスプレー
３１・・・・・外部接続線
【図１Ａ】
2012205299.tif 000003
【図１Ｂ】
2012205299.tif 000004
【図２Ａ】
2012205299.tif 000005
【図２Ｂ】
2012205299.tif 000006
【図３Ａ】
2012205299.tif 000007
【図３Ｂ】
2012205299.tif 000008
【図４】
2012205299.tif 000009
【図５】
2012205299.tif 000010
【図６】
2012205299.tif 000011
【図７】
2012205299.tif 000012